(57)【要約】【課題】優れた滑止性能を有し、しかも履き心地にも優れた磯靴２の提供。【解決手段】磯靴２は、アッパー４、インソール６、ミッドソール８、面ファスナー１０及びアウトソール１２を備えている。アウトソール１２は、上板２４、主部２６及びスパイク２８を備えている。上板２４は、ポリマー発泡体からなる。主部２６は、フェルトからなる。スパイク２８は、金属又はセラミックからなる。スパイク２８は、上板２４に固定されている。上板２４は複数のスリット４２を備えている。それぞれのスリット４２は、磯靴２の幅方向に沿って延在している。スリット４２により、上板２４の変形能が高められている。【選択図】図２
2014027971.tif 000002
【特許請求の範囲】
【請求項１】
アッパーと、アウトソールとを備えており、
上記アウトソールが、フェルトからなり板状である主部と、この主部に積層された上板とを有しており、
上記上板が、スリット又は凹部を有する釣り用履き物。
【請求項２】
上記上板が、実質的に幅方向に延在するスリット又は凹部を有する請求項１に記載の履き物。
【請求項３】
フェルトからなり板状である主部と、この主部に積層された上板とを備えており、
上記上板がスリット又は凹部を有する釣り用履き物のためのアウトソール。
【発明の詳細な説明】
【技術分野】
【０００１】
本発明は、シューズ、ブーツ、ウェーダー等の釣り用履き物に関する。詳細には、本発明は、履き物のアウトソールに関する。
【背景技術】
【０００２】
磯での釣りに、磯靴が利用されている。アウトソールが金属スパイクを備えた磯靴が、知られている。このスパイクが地面に突き刺さるとこで、磯靴のスリップが防止される。
【０００３】
アウトソールがフェルトからなる磯靴も、用いられている。フェルトは、変形能に優れている。このアウトソールは、凹凸のある地面に追従しやすい。フェルトは、吸水性にも優れる。フェルトは、アウトソールと地面との間に水膜を生じさせない。フェルトからなるアウトソールは、滑止性能に優れる。
【０００４】
スパイクは、軟質な地面には突き刺さるが、硬質な岩には突き刺さりにくい。スパイクは、凹凸のある地面には引っ掛かりやすいが、平滑な岩には引っかかり難い。硬質で平滑な地面では、スパイクを有する磯靴の滑止性能は不十分である。
【０００５】
フェルトからなるアウトソールでも、アウトソールと岩との間に海草、藻等が介在する場合、滑止性能は不十分である。フェルトは、早期に摩耗する。しかも、このアウトソールでは、偏摩耗が生じやすい。摩耗（又は偏摩耗）が進行したアウトソールは、もはや滑止性能に寄与し得ない。
【０００６】
特開２００２−１７７００３公報には、スパイクとフェルトとの両方を備えたブーツが開示されている。スパイクは、フェルトを貫通している。このブーツでは、スパイクがフェルトの欠点を補い、フェルトがスパイクの欠点を補う。
【先行技術文献】
【特許文献】
【０００７】
【特許文献１】特開２００２−１７７００３公報
【発明の概要】
【発明が解決しようとする課題】
【０００８】
特開２００２−１７７００３公報に開示されたブーツは、上板（ゴム層）を備えている。この上板に、フェルトが積層されている。スパイクは、この上板に固定されている。この上板は硬質なので、歩行時のヒトの足の変形に追従しにくい。このブーツは、履き心地に劣る。このブーツを履いた釣り人が長距離の歩行を行うと、疲労を感じやすい。
【０００９】
本発明の目的は、優れた滑止性能を有し、しかも履き心地にも優れた釣り用履き物の提供にある。
【課題を解決するための手段】
【００１０】
本発明に係る釣り用履き物は、アッパーと、アウトソールとを備える。このアウトソールは、フェルトからなり板状である主部と、この主部に積層された上板とを有する。この上板は、スリット又は凹部を有する。
【００１１】
好ましくは、上板は、実質的に幅方向に延在するスリット又は凹部を有する。
【００１２】
他の観点によれば、本発明に係る釣り用履き物のためのアウトソールは、フェルトからなり板状である主部と、この主部に積層された上板とを備える。この上板は、スリット又は凹部を有する。
【発明の効果】
【００１３】
本発明に係る釣り用履き物では、スリット又は凹部によって上板の変形能が高められている。この履き物では、歩行によってアウトソールが変形するときに生じる応力が小さい。このアウトソールは、釣り人の足の変形に容易に追従する。この履き物は、履き心地に優れる。この履き物を着用した釣り人は、疲れを感じにくい。
【図面の簡単な説明】
【００１４】
【図１】図１は、本発明の一実施形態に係る磯靴が示された側面図である。
【図２】図２は、図１の磯靴の一部が示された断面図である。
【図３】図３は、図２の磯靴の一部が示された拡大図である。
【図４】図４は、図２の磯靴の上板の一部がスパイクと共に示された拡大斜視図である。
【図５】図５は、図２の磯靴の上板が示された底面図である。
【図６】図６は、図５のVI−VI線に沿った拡大断面図である。
【図７】図７は、図５の上板の長さ方向に沿った拡大断面図である。
【図８】図８は、本発明の他の実施形態に係る磯靴の上板が示された底面図である。
【図９】図９は、図８のIX−IX線に沿った拡大断面図である。
【図１０】図１０は、本発明のさらに他の実施形態に係る磯靴の上板が示された底面図である。
【図１１】図１１は、図１０の上板の長さ方向に沿った拡大断面図である。
【発明を実施するための形態】
【００１５】
以下、適宜図面が参照されつつ、好ましい実施形態に基づいて本発明が詳細に説明される。
【００１６】
図１から３に示された釣り用履き物（磯靴２）は、アッパー４、インソール６、ミッドソール８、面ファスナー１０及びアウトソール１２を備えている。
【００１７】
アッパー４は、釣り人の甲及び足首に当接する。アッパー４は、 典型的には、織布からなる。アッパー４が、合成樹脂シートからなってもよい。
【００１８】
インソール６は、板状のベース１４と、このベース１４の周縁においてこのベース１４から起立する側壁１６とを有している。ベース１４は、ミッドソール８の上面に載置されている。ベース１４は、三次元形状を有する。このインソール６は、「カップインソール」と称されている。インソール６は、ポリマー発泡体である。この発泡体の典型的な基材ポリマーは、エチレン−酢酸ビニル共重合体（ＥＶＡ）である。メッシュ状のインソールが用いられてもよい。
【００１９】
ミッドソール８は、ゴム組成物が架橋されてなる。ミッドソール８には、強度に優れたゴムが用いられる。好ましいゴムとしては、天然ゴム、ポリブタジエン及びスチレン−ブタジエン共重合体が例示される。ミッドソール８は、接着剤によってアッパー４と接合されている。ミッドソール８が合成樹脂からなってもよい。ミッドソール８は、その周縁にリブ１８を備えている。リブ１８は、下向きに垂下している。
【００２０】
面ファスナー１０は、フック面２０とループ面２２とを備えている。フック面２０は、接着剤によってミッドソール８に接合されている。ループ面２２は、接着剤によってアウトソール１２に接合されている。フック面２０がアウトソール１２に接合され、ループ面２２がミッドソール８に接合されてもよい。典型的な面ファスナー１０は、ベルクロ社のマジックテープ（登録商標）である。図２から明らかなように、ミッドソール８のリブ１８は、面ファスナー１０よりも下方にまで延在している。
【００２１】
アウトソール１２は、面ファスナー１０によってミッドソール８と積層されている。アウトソール１２の上部は、リブ１８に囲まれている。リブ１８により、アウトソール１２のミッドソール８からの意図せぬ離脱が防止される。このアウトソール１２は、上板２４、主部２６及びスパイク２８を備えている。
【００２２】
上板２４は、ポリマー発泡体からなる。典型的な基材ポリマーは、エチレン−酢酸ビニル共重合体である。後述されるように、この上板２４にスパイク２８が固定される。上板２４は、スパイク２８からの力に耐えうる程度の剛性を有する。この上板２４に、ループ面２２が接合されている。主部２６は、フェルトからなる。このフェルトでは、多数の繊維が絡み合っている。ナイロン繊維、ポリエステル繊維等が、フェルトに用いられうる。主部２６は、接着剤等の手段によって上板２４の底面３０に接合されている。主部２６により、磯靴２の接地面３２が形成されている。スパイク２８は、金属又はセラミックからなる。
【００２３】
図４には、上板２４の一部がスパイク２８と共に示されている。説明の便宜上、図４では、底面３０側が上向きに示されている。図４において、矢印Ｘは磯靴２の幅方向を示しており、矢印Ｙは磯靴２の長さ方向を示している。長さ方向Ｙは、上板２４の輪郭内に画かれうる最長線分の方向である。幅方向Ｘは、長さ方向Ｙと直交する方向である。上板２４は、複数の溝３４を備えている。それぞれの溝３４は、幅方向Ｘに沿って延在している。
【００２４】
スパイク２８は、水平部３６と２つの鉛直部３８とからなる。それぞれの鉛直部３８は、水平部３６から垂下している。この鉛直部３８は、水平部３６と一体的に形成されている。水平部３６は、溝３４に挿入される。水平部３６は、接着剤によって上板２４の溝３４に固定される。
【００２５】
図２から明らかな通り、スパイク２８の先端４０は接地面３２から露出している。この磯靴２を着用した釣り人が歩行すると、スパイク２８が地面に突き刺さる。海草等がアウトソール１２と地面との間に介在してしても、スパイク２８がこの海草を突き破って地面に刺さる。従って、磯靴２のスリップが防止される。さらにスパイク２８は、フェルトの偏摩耗を防止する。
【００２６】
凹凸のある地面を釣り人が歩行したとき、この凹凸に応じて主部２６が変形する。この変形により、磯靴２のスリップが防止される。主部２６のフェルトは吸水性に優れるので、アウトソール１２と地面との間に水膜が生じにくい。これによっても、磯靴２のスリップが防止される。
【００２７】
図６における矢印Ｚは、上板２４の厚み方向である。厚み方向は、幅方向Ｘと直交しており、長さ方向Ｙとも直交している。図５及び６から明らかなとおり、上板２４は複数のスリット４２を備えている。この実施形態では、スリット４２の数は６である。これらのスリット４２が、長さ方向Ｙに沿って並んでいる。それぞれのスリット４２は、幅方向Ｘに沿って延在している。このスリット４２は、上板２４の底面３０から上面４４にまで至っている。
【００２８】
スリット４２により、上板２４の変形能が高められている。この磯靴２では、歩行によってアウトソール１２が変形するときに生じる応力は、小さい。このアウトソール１２は、釣り人の足の変形に容易に追従する。この磯靴２は、履き心地に優れる。この磯靴２を着用した釣り人は、長時間の歩行を行っても疲れを感じにくい。
【００２９】
前述の通り、スリット４２は幅方向Ｘに沿って延在している。スリット４２が、幅方向Ｘに対して傾斜してもよい。歩行時の釣り人の足への追従性の観点から、幅方向Ｘに対するスリット４２の延在方向の角度は３０°以下が好ましく、２０°以下がより好ましく、１０°以下が特に好ましい。理想的には、この角度は０°である。
【００３０】
歩行時の釣り人の足への追従性の観点から、上板２４におけるスリット４２の数は２以上が好ましく、４以上がより好ましく、５以上が特に好ましい。スリット４２の数は、１２以下が好ましい。
【００３１】
図６において、矢印Ｗ１で示されているのは上板２４の幅であり、矢印Ｗ２で示されているのはスリット４２の幅である。歩行時の釣り人の足への追従性の観点から、幅Ｗ１に対する幅Ｗ２の比率は４０％以上が好ましく、５０％以上がより好ましく、６０％以上が特に好ましい。この比率は、９５％以下が好ましい。
【００３２】
図７に示されるように、スリット４２は、上板２４に爪先側面４４及び踵側面４６を形成する。上板２４が切り込まれてスリット４２が形成される場合、爪先側面４４は踵側面４６にほぼ当接する。この場合、爪先側面４４と踵側面４６との距離Ｌ１は、ゼロに近い。
【００３３】
主部２６又はスパイク２８の摩耗が進行すると、フック面２０からループ面２２が剥がされる。ループ面２２及びアウトソール１２は、廃棄される。新たなループ面２２及びアウトソール１２が、フック面２０に接合される。
【００３４】
図８は、本発明の他の実施形態に係る磯靴の上板４８が示された底面図である。図９は、図８のIX−IX線に沿った拡大断面図である。この磯靴の、上板４８以外の部材の構成は、図１に示された磯靴２のそれらと同等である。
【００３５】
この上板４８は、複数のスリット５０を備えている。この実施形態では、スリット５０の数は６である。これらのスリット５０が、長さ方向Ｙに沿って並んでいる。それぞれのスリット５０は、幅方向Ｘに沿って延在している。このスリット５０は、上板４８のインサイド５２からアウトサイド５４にまで至っている。このスリット５０は、上面５６にまでは至っていない。
【００３６】
スリット５０により、上板４８の変形能が高められている。この磯靴では、歩行によってアウトソールが変形するときに生じる応力は、小さい。このアウトソールは、釣り人の足の変形に容易に追従する。この磯靴は、履き心地に優れる。この磯靴を着用した釣り人は、長時間の歩行を行っても疲れを感じにくい。
【００３７】
前述の通り、スリット５０は幅方向Ｘに沿って延在している。スリット５０が、幅方向Ｘに対して傾斜してもよい。歩行時の釣り人の足への追従性の観点から、幅方向Ｘに対するスリット５０の延在方向の角度は３０°以下が好ましく、２０°以下がより好ましく、１０°以下が特に好ましい。理想的には、この角度は０°である。
【００３８】
歩行時の釣り人の足への追従性の観点から、上板４８におけるスリット５０の数は２以上が好ましく、４以上がより好ましく、５以上が特に好ましい。スリット５０の数は、１２以下が好ましい。
【００３９】
前述の通り、スリット５０は、上板４８のインサイド５２からアウトサイド５４にまで至っている。換言すれば、上板４８の幅に対するスリット５０の幅の比率は、１００％である。スリット５０の幅が、上板４８の幅より小さくてもよい。上板４８の幅に対するスリット５０の幅の比率は４０％以上が好ましく、５０％以上がより好ましく、６０％以上が特に好ましい。
【００４０】
図９において、矢印Ｔｈで示されているのは上板４８の厚みであり、矢印Ｄｅで示されているのはスリット５０の深さである。歩行時の釣り人の足への追従性の観点から、厚みＴｈに対する深さＤｅの比率は２０％以上が好ましく、４０％以上がより好ましく、６０％以上が特に好ましい。この比率は、９５％以下が好ましい。
【００４１】
図１０は、本発明のさらに他の実施形態に係る磯靴の上板５８が示された底面図である。図１１は、図１０の上板５８の長さ方向に沿った拡大断面図である。この磯靴の、上板５８以外の部材の構成は、図１に示された磯靴２のそれらと同等である。
【００４２】
この上板５８は、複数の凹部６０を備えている。この実施形態では、凹部６０の数は６である。これらの凹部６０が、長さ方向Ｙに沿って並んでいる。それぞれの凹部６０は、筋状である。この凹部６０は、幅方向Ｘに沿って延在している。この凹部６０は、底面６２に向かって開口している。凹部６０は、上面６４にまでは至っていない。凹部６０は、爪先側面６６及び踵側面６８を備えている。
【００４３】
凹部６０により、上板５８の変形能が高められている。この磯靴では、歩行によってアウトソールが変形するときに生じる応力は、小さい。このアウトソールは、釣り人の足の変形に容易に追従する。この磯靴は、履き心地に優れる。この磯靴を着用した釣り人は、長時間の歩行を行っても疲れを感じにくい。
【００４４】
前述の通り、凹部６０は幅方向Ｘに沿って延在している。凹部６０が、幅方向Ｘに対して傾斜してもよい。歩行時の釣り人の足への追従性の観点から、幅方向Ｘに対する凹部６０の延在方向の角度は３０°以下が好ましく、２０°以下がより好ましく、１０°以下が特に好ましい。理想的には、この角度は０°である。
【００４５】
歩行時の釣り人の足への追従性の観点から、上板５８における凹部６０の数は２以上が好ましく、４以上がより好ましく、５以上が特に好ましい。凹部６０の数は、１２以下が好ましい。
【００４６】
凹部６０は、上板５８のインサイド７０からアウトサイド７２にまで至っている。換言すれば、上板５８の幅に対する凹部６０の幅の比率は、１００％である。凹部６０の幅が、上板５８の幅より小さくてもよい。上板５８の幅に対する凹部６０の幅の比率は４０％以上が好ましく、５０％以上がより好ましく、６０％以上が特に好ましい。
【００４７】
図１１において、矢印Ｔｈで示されているのは上板５８の厚みであり、矢印Ｄｅで示されているのは凹部６０の深さである。歩行時の釣り人の足への追従性の観点から、厚みＴｈに対する深さＤｅの比率は２０％以上が好ましく、４０％以上がより好ましく、６０％以上が特に好ましい。この比率は、９５％以下が好ましい。
【００４８】
図１１において矢印Ｌ２で示されているのは、爪先側面６６と踵側面６８との距離である。歩行時の釣り人の足への追従性の観点から、距離Ｌ２は１ｍｍ以上が好ましく、３ｍｍ以上が特に好ましい。距離Ｌ２は、２０ｍｍ以下が好ましい。
【００４９】
底面における形状が円、楕円、多角形等である凹部を、上板が有してもよい。
【産業上の利用可能性】
【００５０】
スリット又は凹部を備えた上板は、磯靴のみならず、ブーツ、ウェーダー等の種々の履き物に適用される。
【符号の説明】
【００５１】
２・・・磯靴
１０・・・面ファスナー
１２・・・アウトソール
２０・・・フック面
２２・・・ループ面
２４、４８、５８・・・上板
２６・・・主部
２８・・・スパイク
３４・・・溝
４２、５０・・・スリット
６０・・・凹部
【図１】
2014027971.tif 000003
【図２】
2014027971.tif 000004
【図３】
2014027971.tif 000005
【図４】
2014027971.tif 000006
【図５】
2014027971.tif 000007
【図６】
2014027971.tif 000008
【図７】
2014027971.tif 000009
【図８】
2014027971.tif 000010
【図９】
2014027971.tif 000011
【図１０】
2014027971.tif 000012
【図１１】
2014027971.tif 000013